(57)【特許請求の範囲】
【請求項１】
データ（ｄ）を第１の基地局（ＢＳ１）と少なくとも１つの移動局（ＭＳ）との間で第１の伝送プロセスにしたがって伝送し、
少なくとも所定の伝送フェーズ中に中断フェーズ（２）を挿入し、該中断フェーズで移動局（ＭＳ）はデータ（ｄ）の伝送を中断し、かつ移動局自身を第２の基地局（ＢＳ２）から第２の伝送プロセスにしたがって送信されるデータパケット（ｄｐ）の受信に切り換え、
受信結果に依存して中断フェーズの挿入を制御する情報（ｍ）を移動局（ＭＳ）から第１の基地局（ＢＳ１）へ送信する、
ことを特徴とする移動無線システムにおけるデータ伝送方法。
【請求項２】
フレーム（１，４ａ，４ｂ）として構造化されたデータ（ｄ）を第１の基地局（ＢＳ１）から移動局（ＭＳ）へ伝送し、
少なくとも所定の送信フェーズ中に中断フェーズ（２）を挿入し、該中断フェーズで移動局（ＭＳ）は受信データ（ｄ）の受信および／または処理を中断し、かつ移動局自身を第２の基地局（ＢＳ２）から送信されるデータパケット（ｄｐ）の受信に切り換え、
受信結果に依存して中断フェーズの挿入を制御する情報（ｍ）を移動局（ＭＳ）から第１の基地局（ＢＳ１）へ送信する、
ことを特徴とする移動無線システムにおけるデータ伝送方法。
【請求項３】
フレーム（１，４ａ，４ｂ）として構造化されたデータ（ｄ）を移動局（ＭＳ）から第１の基地局（ＢＳ１）へ伝送し、
少なくとも所定の送信フェーズ中に中断フェーズ（２）を挿入し、該中断フェーズで移動局（ＭＳ）はデータ（ｄ）の送信を中断し、かつ移動局自身を第２の基地局（ＢＳ２）から送信されるデータパケット（ｄｐ）の受信へ切り換え、
受信結果に依存して中断フェーズの挿入を制御する情報（ｍ）を移動局（ＭＳ）から第１の基地局（ＢＳ１）へ送信する、
ことを特徴とする移動無線システムにおけるデータ伝送方法。
【請求項４】
検出すべきデータパケットの受信後に、更なる中断フェーズが挿入されないように制御する情報（ｍ）を移動局（ＭＳ）から第１の基地局（ＢＳ１）へ送信する、請求項１から３までのいずれか１項記載の方法。
【請求項５】
特徴的なデータパケットの受信後、次に検出すべきデータパケットが受信されてから更なる中断フェーズが挿入されないように制御する情報（ｍ）を移動局（ＭＳ）から第１の基地局（ＢＳ１）へ送信する、請求項１から４までのいずれか１項記載の方法。
【請求項６】
特徴的なデータパケットの受信後、特徴的なデータパケットと検出すべきデータパケットとの間の所定の時間間隔の後に、検出すべきデータパケットを受信するためにもう一度中断フェーズが挿入されるように制御する情報（ｍ）を移動局（ＭＳ）から第１の基地局（ＢＳ１）へ送信する、請求項１から５までのいずれか１項記載の方法。
【請求項７】
移動局（ＭＳ）を第２の基地局（ＢＳ２）の特徴的なデータパケットおよび／または検出すべきデータパケットの受信後、１個または複数個の第３の基地局（ＢＳ３）の特徴的なデータパケットおよび／または検出すべきデータパケットの受信へ切り換え、
０個、１個または複数個の第３の基地局（ＢＳ３）の特徴的なデータパケットおよび／または検出すべきデータパケットの受信後、情報（ｍ）を移動局（ＭＳ）から第１の基地局（ＢＳ１）へ伝送し、中断フェーズの挿入を制御するかおよび／または第２の基地局および／または第３の基地局に関する情報を伝送する、
請求項１から６までのいずれか１項記載の方法。
【請求項８】
移動局（ＭＳ）によって所定の時間内に第２の基地局（ＢＳ２）によって受信されたデータパケットをメモリ（ＳＰＥ）に記憶するか、および／または評価する、請求項１から７までのいずれか１項記載の方法。
【請求項９】
中断フェーズの挿入を制御するための情報、および第２の基地局および／または第３の基地局に関する情報を同じメッセージによって伝送する、請求項１から８までのいずれか１項記載の方法。
【請求項１０】
第２の基地局および／または第３の基地局はＧＳＭ移動無線システムまたはそこから導出されたシステムの基地局であり、検出すべきデータパケットは同期データパケットであり、特徴的なデータパケットは周波数補正データパケットである、請求項５から９までのいずれか１項記載の方法。
【請求項１１】
データを第１の基地局（ＢＳ１）とのやり取りのために第１の伝送プロセスにしたがって伝送する手段（ＥＥ，ＳＥ）と、
少なくとも所定の伝送フェーズ中に中断フェーズを挿入し、該中断フェーズでデータ（ｄ）の伝送を中断する手段（ＳＴＥ）と、
第２の基地局（ＢＳ２）から第２の伝送プロセスにしたがって送信されるデータパケット（ｄｐ）の受信へ切り換える手段（ＳＴＥ）と、
当該のデータパケットについての受信結果を求める手段（ＶＥ）と、
移動局（ＭＳ）の受信結果に依存して中断フェーズの挿入を制御する情報を第１の基地局（ＢＳ１）へ送信する手段（ＳＥ）と
を備えている、
ことを特徴とする移動局（ＭＳ）。
【請求項１２】
フレームとして構造化され第１の基地局（ＢＳ１）から送信されたデータを受信する手段（ＥＥ）と、
少なくとも所定の送信フェーズ中に中断フェーズを挿入し、該中断フェーズでデータ（ｄ）の受信および／または受信データの処理を中断する手段（ＳＴＥ）と、
第２の基地局（ＢＳ２）から送信されるデータパケット（ｄｐ）の受信に切り換える手段（ＳＴＥ）と、
当該のデータパケットについての受信結果を求める手段（ＶＥ）と、
移動局（ＭＳ）の受信結果に依存して中断フェーズの挿入を制御する情報を第１の基地局（ＢＳ１）へ送信する手段（ＳＥ）と
を備えている、
ことを特徴とする移動局（ＭＳ）。
【請求項１３】
フレームとして構造化されたデータを第１の基地局（ＢＳ１）へ送信する手段（ＥＥ）と、
少なくとも所定の送信フェーズ中に中断フェーズを挿入し、該中断フェーズでデータ（ｄ）の送信を中断する手段（ＳＴＥ）と、
第２の基地局（ＢＳ２）から送信されるデータパケット（ｄｐ）の受信へ切り換える手段（ＳＴＥ）と、
当該のデータパケットについての受信結果を求める手段（ＶＥ）と、
移動局（ＭＳ）の受信結果に依存して中断フェーズの挿入を制御する情報を第１の基地局（ＢＳ１）へ送信する手段（ＳＥ）と
を備えている、
ことを特徴とする移動局（ＭＳ）。
【請求項１４】
中断フェーズが挿入されないように制御する情報を第１の基地局へ送信する手段（ＳＥ）を備えている、請求項１１から１３までのいずれか１項記載の移動局。
【請求項１５】
次に検出すべきデータパケットの受信後に中断フェーズが挿入されないように制御する情報を第１の基地局へ送信する手段（ＳＥ）を備えている、請求項１１から１４までのいずれか１項記載の移動局。
【請求項１６】
特徴的なデータパケットと検出すべきデータパケットとの間の所定の時間間隔の後、検出すべきデータパケットを受信するためにもう一度中断フェーズが挿入されるように制御する情報を第１の基地局へ送信する手段（ＳＥ）を備えている、請求項１１から１５までのいずれか１項記載の移動局。
【請求項１７】
第２の基地局（ＢＳ２）の特徴的なデータパケットおよび／または検出すべきデータパケットの受信後、１個または複数個の第３の基地局（ＢＳ３）の特徴的なデータパケットおよび／または検出すべきデータパケットの受信への切り換えを行う手段（ＳＴＥ）と、
０個、１個または複数個の第３の基地局（ＢＳ３）の特徴的なデータパケットおよび／または検出すべきデータパケットの受信後、中断フェーズの挿入を制御する情報、および／または第２の基地局および／または第３の基地局に関する情報を第１の基地局へ送信する手段（ＥＥ）とを備えている、
請求項１１から１６までのいずれか１項記載の移動局。
【請求項１８】
所定の時間間隔で第２の基地局から受信されたデータパケットを記憶および／または評価する手段（ＳＰＥ，ＶＥ）を備えている、請求項１１から１７までのいずれか１項記載の移動局。
【請求項１９】
データを移動局（ＭＳ）とのやり取りのために伝送する手段と、
少なくとも所定の伝送フェーズ中に中断フェーズ（２）を挿入する手段と、
中断フェーズの挿入を制御する情報を受信する手段と、
移動局の受信結果に依存して中断フェーズの挿入を制御する手段と
を備えている、
ことを特徴とする基地局（ＢＳ１）。
【請求項２０】
フレーム（１，４ａ，４ｂ）として構造化されたデータ（ｄ）を移動局（ＭＳ）へ送信する手段と、
少なくとも所定の送信フェーズ中に中断フェーズ（２）を挿入する手段と、
中断フェーズの挿入を制御する情報を受信する手段と、
移動局の受信結果に依存して中断フェーズの挿入を制御する手段と
を備えている、
ことを特徴とする基地局（ＢＳ１）。
【請求項２１】
フレーム（１，４ａ，４ｂ）として構造化されたデータ（ｄ）を移動局（ＭＳ）へ送信する手段と、
少なくとも所定の受信フェーズ中に中断フェーズ（２）を挿入する手段と、
中断フェーズの挿入を制御する情報を受信する手段と、
移動局の受信結果に依存して中断フェーズの挿入を制御する手段と
を備えている、
ことを特徴とする基地局（ＢＳ１）。
【請求項２２】
中断フェーズを挿入しないように制御する情報を受信および処理する手段を備えている、請求項１９から２１までのいずれか１項記載の基地局。
【請求項２３】
次に検出すべきデータパケットの受信後に中断フェーズを挿入しないように制御する情報を受信および処理する手段を備えている、請求項１９から２２までのいずれか１項記載の基地局。
【請求項２４】
特徴的なデータパケットと検出すべきデータパケットとの間に存在する所定の時間間隔後、検出すべきデータパケットの受信のためにもう一度中断フェーズを挿入するように制御する情報を受信および処理する手段を備えている、請求項１９から２３までのいずれか１項記載の基地局。
【請求項２５】
中断フェーズの挿入を制御する情報および／または第２の基地局および／または第３の基地局に関する情報を受信および処理する手段を備えている、請求項１９から２４までのいずれか１項記載の基地局。
【請求項２６】
第２の基地局はＧＳＭ移動無線システムまたはそこから導出されたシステムの基地局であり、検出すべきデータパケットは同期データパケットである、請求項１から４までのいずれか１項記載の方法。
【発明の詳細な説明】
【０００１】
本発明は、基地局、移動局、および通信システムにおけるデータ伝送方法、特にＣＤＭＡ移動無線システムにおけるデータ伝送方法に関する。ここでデータはフレームとして構造化されて伝送され、移動局は１つまたは複数の中断フェーズ中に他の機能、特に受信装置に関する測定を行うことができる。中断フェーズ中は移動局は受信データの受信（従来のソースまたは基地局のデータ）および／または処理または送信を中断する。“伝送”とは以下送受信のことであると解されたい。
【０００２】
通信システムではデータ（例えば音声データ、画像データ、またはシステムデータ）が基地局と移動局との間の伝送区間上を伝送される。無線通信システムではこれは電磁波を用いてエアインタフェースまたは無線インタフェースを介して行われる。その場合、それぞれのシステムに設けられた周波数帯域に存在する搬送波周波数が利用される。ＧＳＭ（Grobal System for Mobile Communication）では搬送波周波数は９００ＭＨｚの領域にある。将来の無線通信システム、例えばＵＭＴＳ（Universal Mobile Telecommunication System）または第３世代の他のシステムに対しては２０００ＭＨｚの周波数帯域の周波数が設けられている。
【０００３】
特に将来のＣＤＭＡシステムでは例えばダウンワード方向、すなわち基地局から移動局への方向で、基地局から主として連続的に送信が行われる。送信時に伝送されるデータは通常はフレームとして構造化されており、それぞれ所定の長さを有している。特に音声データ伝送およびビデオデータ伝送などの種々のサービスでは、フレームは種々に異なる構造および長さを有する。ただし連続したフレームシーケンスにおける各フレームの構造および／または長さは予め定められているか、および／または移動局によって識別される。
【０００４】
特にセルラ移動無線システムでは、移動局は場合によりデータ受信とは別の機能を行わなくてはならない。データ受信は少なくとも動作中には唯一の受信装置しか同時には実行できない。例えばセルラとして構成された無線通信システムの移動局は、複数のセルの基地局が異なる周波数で送信を行っているため、所定の時間ごとに他の基地局からの無線信号のほうが良好な受信品質で受信できるのではないかということを測定しなければならない。このために移動局は自身の受信装置を現時点でデータを受信している周波数とは別の周波数へ切り換える。
【０００５】
中断なしで基地局から移動局へ送信できるようにするために、既に、第２の受信装置を備えた移動局を構成することが提案されている。ただしこの手段はコスト上実際には回避されることが多い。
【０００６】
他の公知の手段として、基地局が送信を所定の時間で中断し、受信局に隣接チャネルサーチを唯一の受信装置を介して行わせることが提案されている。これは隣接の基地局、または基地局から送信された所定のデータパケットをサーチするものである。所定のデータパケットは以下では同期バースト、周波数補正バースト、またはパイロット信号バーストであると解されたい。
【０００７】
データ損失を回避するために、基地局はデータを予めほぼ一定の持続送信レートよりも高い送信レートで送信する。過度に高いビットエラーレートＢＥＲを生じないようにするためには、付加的にこの時間中に送信出力を高めなければならない。
【０００８】
中断フェーズを反復する周期および中断フェーズの長さはそれぞれのシステムやシステムのそのつどの動作状態に依存している。例えばセルラとして編成された無線通信システムの移動局による隣接チャネルサーチに対しては中断フェーズはそれぞれ約５ｍｓ〜６ｍｓの長さがあれば充分である。階層セル構造ＨＣＳを有するシステムでは中断フェーズは約１００ｍｓごとに行えばよい。挿入される中断フェーズの数は伝送品質の劣化を増大させるので、使用する中断フェーズをできる限り少なくすることが望まれる。
【０００９】
本発明の課題は、冒頭に言及した形式の方法、移動局および基地局において、良好な伝送品質で第２の基地局の監視を行えるようなシステムを提供することである。
【００１０】
この課題は独立請求項により解決される。他の実施態様は従属請求項の対象となっている。
【００１１】
したがって本発明は受信結果に依存して中断フェーズ中に受信装置を第２の基地局のデータパケットの受信に切り換えるという着想に基づいており、移動局から第１の基地局へ送信される情報によって中断フェーズの挿入の制御が達成される。
【００１２】
第２の基地局から送信されたデータパケットは検出すべきデータパケット（同期データパケット）であってもよいし、または特徴的なデータパケット（周波数補正データパケット）であってもよい。
【００１３】
中断フェーズの挿入の制御とは、将来の中断フェーズの数を制限すること、および／または中断フェーズの挿入の終了、および／または更なる中断フェーズを制御された状態で続けて挿入すること、および／または中断フェーズの持続時間の制御などであると解されたい。
【００１４】
“移動局がデータパケット受信へ切り換えられる”という概念は、本発明の範囲では、通常のアナログフィルタリングおよびディジタルフィルタリング、さらに場合によりデローテーションの後、受信されたデータパケットとトレーニングシーケンスに相応する相関シーケンスとが比較され（例えば相関され）、これによりデータパケットがサーチされることである。相関に代えて、場合によっては他のプロセスを適用することもできる（例えばＦＩＲ、ＩＲＲ、または他のフィルタ）。データパケットが充分な品質で受信ないし検出されるか、またはデータパケットを介して伝送された情報が充分な品質で求められる等の場合には、当該のデータパケットに関してポジティブな受信結果が得られたと結論することができる。
【００１５】
例えばダウンワード方向でデータを第１の基地局から移動局へ第１の伝送プロセスにしたがって伝送する場合、少なくとも所定の送信フェーズ中に中断フェーズを挿入し、この中断フェーズで移動局によって第１の基地局から送信されたデータの伝送および／または受信データの処理を中断し、かつ移動局を第２の基地局から第２の伝送プロセスにしたがって送信されるデータパケットの受信へ切り換える。第２の基地局から送信されたデータパケットについての受信結果に依存して、中断フェーズの挿入を制御する情報が移動局から第１の基地局へ送信される。
【００１６】
第１の基地局で使用される第１の伝送プロセスはＣＤＭＡプロセスであり、第２の基地局で使用される第２の伝送プロセスはＧＳＭプロセスである。例えばＧＳＭ基地局を監視するためにＵＴＭＳ伝送で中断フェーズが使用される。中断フェーズの数を低減するために、隣接チャネルサーチに対して充分な情報が受信された後、メッセージが移動局からＵＴＭＳ基地局へ伝送され、これにより更なる中断フェーズの挿入が制御または制限される。
【００１７】
中断フェーズの挿入はできる限り早期に終了すべきであり、監視されている第２の基地局に関する充分な情報が既知となって伝送品質が改善されるとただちに可能なかぎり制限される。
【００１８】
本発明の実施形態のバリエーションでは、特徴的なデータパケットの受信後、次に検出すべきデータパケットが受信された後には中断フェーズが挿入されないようにトリガされる。
【００１９】
公知のフレーム構造を第２の基地局から移動局へのデータ伝送に利用することにより、挿入される中断フェーズの数を低く維持することができる。
【００２０】
本発明の実施形態の別のバリエーションでは、移動局は複数の基地局のデータパケットの受信へ切り換えられ、受信結果に依存して、中断フェーズの挿入を制御する情報を第１の基地局へ送信するように構成されている。
【００２１】
これにより順次に隣接の複数の基地局が監視され、充分に監視された後、中断フェーズの挿入がとりあえず終了される。
【００２２】
本発明の別の実施形態では、中断フェーズの挿入を制御する情報と第２の基地局および／または第３の基地局に関する情報とが同じメッセージによって伝送される。
【００２３】
これにより最小限の信号化コストで隣接する基地局を監視し、監視結果に関する情報を伝達することができる。
【００２４】
図に則して以下に本発明の実施例を詳細に説明する。ただし本発明はこれらの実施例に限定されるものではない。個々の図面には次の図が示されている。すなわち、図１には移動無線システムの基本図が示されている。図２には移動局の基本回路図が示されている。図３には送信フェーズ中に中断フェーズを挿入する手法の概略図が示されている。
【００２５】
図１には、例えばＧＳＭ（Global System for Mobile Communication）システムとＵＭＴＳ（Universal Mobile Telecommunication System）システムとのコンビネーションから成るセルラ移動無線ネットワークが示されている。これは相互にネットワーク化されているか、固定回線網ＰＳＴＮ／ＩＳＤＮへのアクセスを形成する複数の移動交換局ＭＳＣから成る。さらにこの移動交換局ＭＳＣはそれぞれ少なくとも１つの基地局コントローラＢＳＣに接続されており、このコントローラはデータ処理システムによって形成可能である。
【００２６】
各基地局コントローラＢＳＣはさらに少なくとも１つの基地局ＢＳと接続されている。この種の基地局ＢＳは無線局であり、無線インタフェースを介して他の無線局いわゆる移動局ＭＳへの無線コネクションを形成することができる。移動局ＭＳとこの移動局ＭＳに割り当てられている基地局ＢＳとの間を、無線信号を介した情報が周波数帯域内の無線チャネル内部で伝送される。基地局の無線信号のカバーレンジはほぼ無縁セルＦＺとして定められている。
【００２７】
基地局ＢＳおよび基地局コントローラＢＳＣを基地局装置として統合することができる。基地局装置ＢＳＳはその際、無線チャネル管理、チャネル割り当て、データレート適合化、無線伝送区間の監視、およびハンドオーバプロシージャ、またＣＤＭＡシステムでは使用される拡散符号集合の割り当てなどを管轄し、これに必要なシグナリング情報を移動局ＭＳへ伝達する。
【００２８】
デュプレクス方式の場合、例えばＧＳＭシステムでのＦＤＤ（Frequency Division Duplex）方式においてアップリンク（移動局から基地局へ）に対してダウンリンク（基地局から移動局へ）に対するのとは別の周波数帯域を設けてもよいし、ＤＥＣＴ（Digital Enhanced Cordless Telecommunications）でのＴＤＤ（Time Division Duplex）方式においてアップリンクおよびダウンリンクに対して異なる時間区分を設けてもよい。種々の周波数帯域内では周波数分割多重接続ＦＤＭＡにより複数の周波数チャネルを使用するプロセスを実現できる。
【００２９】
この明細書の範囲で使用される概念および実施例はしばしばＧＳＭ移動無線システムに関連している。ただし本発明は決してこのシステムに限定されるものではなく、本明細書に則して当業技術者は容易に他の移動無線システム、例えばＣＤＭＡシステム、ブロードバンドＣＤＭＡシステム、またはＴＤ／ＣＤＭＡシステム、また場合によっては将来の移動無線システムなどに適用可能である。第１の基地局ＢＳ１とは特にＵＭＴＳ基地局またはＣＤＭＡ基地局であり、第２の基地局ＢＳ２および／または第３の基地局ＢＳ３とは特に監視すべき隣接のＧＳＭ基地局であり、移動局とは特にデュアルモード移動局である。このデュアルモード移動局はＧＳＭ信号の送受信にもＵＭＴＳ信号またはＣＤＭＡ信号の送受信にも使用可能であるように構成されており、場合によっては定置動作用に構成されていてもよい。
【００３０】
図２には移動局ＭＳとなる無線局が示されており、これは操作ユニットＭＭＩ、制御装置ＳＴＥ、処理装置ＶＥ、電流供給装置ＳＶＥ、受信装置ＥＥ、および送信装置ＳＥから成っている。
【００３１】
制御装置ＳＴＥは主としてプログラム制御されるマイクロコントローラＭＣから成っており、このマイクロコントローラはメモリモジュールＳＰＥへの書き込みおよび読み出しのアクセスが可能である。マイクロコントローラＭＣは全ての主要な素子と無線局の機能とを制御および監視する。これらは主として通信フローおよびシグナリングフローで制御され、キーボード入力に応答する。これは相応の制御プロシージャを実行して種々の駆動状態へ機器をセットすることにより行われる。
【００３２】
処理装置ＶＥはディジタル信号プロセッサＤＳＰによって形成することができ、同様にメモリモジュールＳＰＥへアクセスすることができる。
【００３３】
揮発性メモリモジュールまたは不揮発性メモリモジュールＳＰＥでは、無線局および通信フロー特にシグナリングプロシージャを制御するプログラムデータが必要となる。このために機器情報、ユーザによって入力される情報、および信号処理中に発生する情報が記憶される。
【００３４】
高周波数部ＨＦは送信装置ＳＥおよび受信装置ＥＥから成り、送信装置は変調器および増幅器を備えており、受信装置は復調器および増幅器を備えている。
【００３５】
送信装置ＳＥおよび受信装置ＥＥにはシンセサイザＳＹＮを介して電圧制御発振器ＶＣＯの周波数が供給される。電圧制御発振器ＶＣＯにより機器のプロセッサ装置をクロック制御するシステムクロックも形成される。
【００３６】
信号を移動無線システムのエアインタフェースを介して送受信するために、アンテナ装置ＡＮＴが設けられている。
【００３７】
無線局は基地局ＢＳであってもよい。この場合には操作ユニットが移動無線ネットワーク、例えば基地局コントローラＢＳＣないし交換装置ＭＳＣへのコネクションによって置換される。複数の移動局ＭＳで同時にデータを交換するために、基地局ＢＳは相応の複数の送受信装置を使用する。
【００３８】
図３には僅かな遅延時間しか有さないデータ伝送のフレーム構造が示されており、これは特にＵＭＴＳ（Universal Mobile Telecommunication System）における音声伝送に使用され、マルチフレームの内部にそれぞれデータ伝送用の１２個の個別フレーム１が含まれる。この場合特に図には第１の基地局ＢＳ１（特にＵＭＴＳ基地局ＢＳ１）から移動局ＭＳ（特にデュアルモード移動局ＭＳ）へのダウンリンクでの送信フェーズが示されており、ＵＭＴＳデータの受信のほかＧＳＭデータパケットの受信にも対応している。以下に示す実施例では主としてダウンリンクに限定されていると解されたい。ただしもちろん、本発明はダウンリンク伝送のみには限られず、アップリンク伝送に使用することもできる。当業者の技術分野では以下に示すダウンリンクでの実施例はアップリンク伝送にも使用できる。
【００３９】
個別フレーム１はそれぞれ１０ｍｓの送信長Ｔｆを有しているので、マルチフレーム全体は１２０ｍｓの送信長Ｔｓを有している。左から５番目の個別フレームおよび６番目の個別フレームはそれぞれ、長さＴｉを有する共通の中断フェーズ２を有しており、これは場合によりこの２つのフレームの境界３にオーバラップする。長さＴｉは例えば６ｍｓの値である。中断フェーズ２前に開始される第１のフレーム部分４ａと、中断フェーズ２後に終了する第２のフレーム部分４ｂとは、同じ長さないし同じ大きさである。図３に示されている実施例では音声データが伝送され、移動局で受信されるデータを評価する際の最大遅延は１０ｍｓのレベル、すなわちフレーム長Ｔｆのレベルであるので、許容可能である。フレーム内のデータはソートされ、共通に符号化され、相互にオーバラップした状態で送信される。この実施例では第１のフレーム４ａおよび第２のフレーム４ｂの送信レートが高められ、圧縮されないフレームでフレーム長Ｔｆを超えて送信されるのと同じ量の送信情報が時間範囲Ｔｃ＝Ｔｆ−Ｔｉ／２で送信されるようにする。
【００４０】
その際に中断フェーズ中少なくともデータの送信が隣接チャネルのサーチを行う所定の移動局が中断され、他の移動局への送信が設定される。これは多重接続法、例えばＣＤＭＡプロセスを使用して達成される。
【００４１】
ＧＳＭ基地局によって送信されたＧＳＭフレームは各１個のデータパケットを含む８個のタイムスロットを有する。ＧＳＭ基地局ＢＳ２から送信されたデータパケット、例えば同期データパケット（検出すべきデータパケット、同期バースト）、周波数補正データパケット（特徴的なデータパケット、周波数補正バースト）、およびノーマルデータパケットなどは全て同じ時間パターンに従っている。ＧＳＭ基地局からは１０個の時間フレーム（ＧＳＭフレーム）全ての４回分とそれに続く１１個の時間フレーム（ＧＳＭフレーム）とを合わせた全体で５１個の時間フレームの後、周波数補正データパケット、各１つの時間フレーム、および後の同期データパケットが送信される。
【００４２】
例えば移動局ＭＳがその時点でのＵＭＴＳ基地局ＢＳ１と通話状態にあるかまたは有効データの伝送状態にある間、中断フェーズが固定長または種々の長さの時間範囲で設けられる所定の時点ないし時間セクションでダウンリンク伝送に使用される。この中断フェーズ中、移動局ＭＳの受信装置はそれぞれ隣接のＧＳＭ基地局ＢＳ２、ＢＳ３のデータパケットの受信へ切り換えられる。中断フェーズ２の間ＵＭＴＳ基地局は移動局ＭＳへのデータ送信を中断し、および／または移動局ＭＳがＵＭＴＳ基地局ＢＳ１から送信されたデータの処理を中断する。移動局ＭＳは受信装置ＥＥを介して隣接チャネルサーチを行うが、これは制御装置ＳＴＥが受信装置ＥＥを隣接のＧＳＭ基地局ＢＳ２およびそこから送信されるデータパケットの受信へ切り換えることにより行われ、場合により発生する隣接のＧＳＭ基地局ＢＳ２、ＢＳ３から送信された同期データパケットｄｐが受信される。
【００４３】
隣接チャネルサーチの目的は検出すべき同期データパケットの検出である。本発明の実施例のバリエーションにおいて移動局が中断フェーズ中に検出すべき同期データパケットを受信すると、隣接チャネルサーチは少なくとも基地局ＢＳ２に関しては終了し、移動局ＭＳは相応の制御情報ｍ（ＳＣＨ-ｆｏｕｎｄ）を場合により適切なシグナリングチャネルを介して第１の基地局ＢＳ１すなわちＵＭＴＳ基地局へ送信する。ＵＭＴＳ基地局ＢＳ１はこれに応じて少なくともさしあたり更なる中断フェーズをダウンリンクデータストリームｄへは挿入しない。
【００４４】
検出すべき同期データパケットの検出は特徴的な周波数補正データパケットの受信によっても達成することができる。なぜなら既知のフレーム構造に基づいて周波数補正データパケットの受信後は同期データパケットの位置が既知となるからである。ＧＳＭシステムでは周波数補正データパケットが同期データパケットよりも前の時間フレームで基地局ＢＳ２、ＢＳ３から送信されるので、移動局ＭＳを同期化データパケットの受信へ切り換えるほか、本発明の実施例のバリエーションでは周波数補正データパケットの受信に切り換えることもできる。その際には移動局ＭＳは中断フェーズ中に受信装置ＥＥを介して隣接チャネルサーチを行う。これは制御装置ＳＴＥが受信装置ＥＥを隣接のＧＳＭ基地局ＢＳ２の受信へ切り換え、場合によって発生する隣接のＧＳＭ基地局ＢＳ２、ＢＳ３から送信された同期データパケットおよび周波数補正データパケットを受信することにより行われる。
【００４５】
“移動局を検出すべきデータパケットおよび特徴的なデータパケットの受信へ切り換える”とは、本発明の範囲内では、通常のアナログフィルタリングおよびディジタルフィルタリング後、場合によっては受信されたデータパケットのデローテーション後に、受信されたデータパケットと、特徴的なデータパケットのトレーニングシーケンスおよび検出すべきデータパケットｄｐのトレーニングシーケンスとを比較する（例えば相関させる）ことを意味する。これにより同時ないし並列的に検出すべきデータパケットおよび特徴的なデータパケットがサーチされる。相関に代えて場合によっては他のプロセス（例えばＦＩＲ、ＩＲＲまたは他のフィルタ）を適用することもできる。
【００４６】
実施例の別のバリエーションでは移動局ＭＳは周波数補正データパケットの受信後、情報ｍをＵＭＴＳ基地局ＢＳ１へ送信する（ＦＣＣＨ-ｆｏｕｎｄ）。この情報はまずもう１回だけ更なる中断フェーズを送信データストリーム中に挿入し、固定の間隔で周波数補正データパケットおよびこれに続く同期データパケットを受信させる。周波数補正データパケットと同期データパケットとの相対的な時間位置に関する知識に基づいて、挿入すべき中断フェーズの時間位置および持続時間（タイムスロットが既知であることから知られる）を検出すべき同期データパケットの時間位置に適合させることができる。周波数補正データパケットまたは続く同期データパケットに関する相応の情報はＦＣＣＨ‐ｆｏｕｎｄ‐メッセージとともに伝送される。
【００４７】
本発明の実施例の別のバリエーションでは、まず第１の隣接のＧＳＭ基地局ＢＳ２の監視への切換が行われ、有効なサーチの後またはサーチが失敗したことが判った後に、１つまたは複数の別のＧＳＭ基地局ＢＳ３に対する隣接チャネルサーチが行われる。複数のＧＳＭ基地局ＢＳ３、ＢＳ３に対する有効なサーチおよび／または失敗した隣接チャネルサーチの終了後、中断フェーズの挿入の制御および／または制限および／または終了および／または制御された状態での持続のための情報ｍがＵＭＴＳ基地局ＢＳ１へ伝送される。このためにまず隣接チャネルサーチで求められた結果が移動局ＭＳ内のメモリ装置ＳＰＥにより一時的に記憶される。
【００４８】
本発明の別の実施例では、隣接チャネルサーチが有効に行われなかった場合、同様に相応の情報ｍを用いてシグナリングが行われ（ＦＣＣＨ／ＳＣＨ‐ｎｏｔ‐ｆｏｕｎｄ）、これに応じてＵＭＴＳ基地局ＢＳ１はさしあたって更なる中断フェーズをダウンリンクデータストリームｄに挿入しない。
【００４９】
本発明の別の実施例では、隣接チャネルサーチの結果、例えば隣接基地局のＩＤ、隣接基地局によって受信された信号の受信品質および電界強度などは、中断フェーズ挿入を制御する情報とともに、メッセージとして場合によっては複数のフレームに分割されてＵＭＴＳ基地局ＢＳ１へ伝達される。
【００５０】
本発明の実施例の別のバリエーションでは、第１の基地局ＢＳ１はＧＳＭ規格またはそこから導出された規格に準拠してデータを伝送するＧＳＭ基地局である。
【図面の簡単な説明】
【図１】  移動無線システムの基本図である。
【図２】  移動局の基本回路図である。
【図３】  送信フェーズ中に中断フェーズを挿入する手法の概略図である。
【図１】
0003831612.tif 000002
【図２】
0003831612.tif 000003
【図３】
0003831612.tif 000004